(57)【要約】【課題】吸熱フィン３１ａに互いに接触するように貫通させた暖房用吸熱管３１ｂ及び風呂追焚き用吸熱管３１ｃを有する暖房兼風呂追焚き用の熱交換器３１を備え、風呂追焚き運転時に、暖房運転中であるか否かに係らず、風呂追焚き吸熱管と暖房用吸熱管とに夫々湯水を循環させるようにした熱源機において、風呂追焚き回路１１や暖房回路９における循環流量の減少により浴槽１２に送り出される湯温が高くなり過ぎたり、暖房用吸熱管での沸騰を生じたりすることを防止できるようにする。【解決手段】風呂追焚き運転時に、暖房運転中であるか否かに係らず、暖房往き湯温センサ９４の検出温度が所定の目標温度になるようにバーナ３２の燃焼量を制御する。風呂循環流量が所定の基準量を下回ったときは、目標温度を下げる。【選択図】図１
2006090592.tif 000002
【特許請求の範囲】
【請求項１】
暖房兼風呂追焚き用の熱交換器とこの熱交換器を加熱するバーナとを有する燃焼部を備える熱源機であって、熱交換器は、吸熱フィンと、吸熱フィンに互いに接触するように貫通させた暖房用吸熱管及び風呂追焚き用吸熱管とを有し、暖房放熱器に接続される暖房回路を介して暖房用吸熱管に湯水を循環自在とすると共に、浴槽に接続される風呂追焚き回路を介して風呂追焚き用吸熱管に浴槽の湯水を循環自在とし、更に、暖房回路に暖房放熱器と並列のバイパス通路を設けて、風呂追焚き運転時に、暖房運転中であるか否かに係らず、風呂追焚き用吸熱管と暖房用吸熱管とに夫々湯水を循環させるものにおいて、
暖房用吸熱管から送り出される湯水の温度を検出する暖房往き湯温センサと、
風呂追焚き回路における湯水の循環流量が所定の基準流量以上であるか否かを判別する流量判別手段と、
風呂追焚き運転時に、暖房運転中であるか否かに係らず、暖房往き湯温センサの検出温度が所定の目標温度になるようにバーナの燃焼量を制御する燃焼制御手段とを備え、
この目標温度は基準目標温度と基準目標温度より低い温度とに可変設定自在であり、流量判別手段により前記循環流量が前記基準流量以上であると判別されることを第１の条件として、第１の条件が不成立である場合は目標温度が基準目標温度より低い温度に設定変更されることを特徴とする熱源機。
【請求項２】
前記浴槽から前記風呂追焚き用吸熱管に戻される湯水の温度を検出する風呂戻り湯温センサを備え、風呂戻り湯温センサの検出温度が風呂追焚きの設定湯温を基準にして定められる所定の基準温度より低いことを第２の条件として、前記第１の条件と第２の条件とが共に成立している場合は前記目標温度が前記基準目標温度に設定され、第１と第２の両条件の少なくとも一方が不成立である場合は目標温度が基準目標温度より低い温度に設定されることを特徴とする請求項１記載の熱源機。
【請求項３】
前記暖房回路に、前記バイパス通路を開くと共に暖房回路の暖房放熱器に至る通路部分を閉じる第１の状態と、バイパス通路を絞ると共に暖房回路の暖房放熱器に至る通路部分を開く第２の状態とに切替え自在な通路切替手段を設け、暖房運転を行わない風呂追焚きの単独運転時は通路切替手段を第１の状態とし、風呂追焚きと暖房との同時運転時は通路切替手段を第２の状態とすることを特徴とする請求項１または２記載の熱源機。
【請求項４】
風呂追焚きと暖房との同時運転時には、前記バーナの燃焼量の上限値が風呂追焚きや暖房の単独運転時よりも高く設定されることを特徴とする請求項１〜３の何れか１項に記載の熱源機。
【発明の詳細な説明】
【技術分野】
【０００１】
本発明は、暖房兼風呂追焚き用の熱交換器とこの熱交換器を加熱するバーナとを有する燃焼部を備える熱源機に関する。
【背景技術】
【０００２】
従来、この種の熱源機として、暖房兼風呂追焚き用の熱交換器を、吸熱フィンと、吸熱フィンに互いに接触するように貫通させた暖房用吸熱管及び風呂追焚き用吸熱管とを備えるものに構成し、暖房用吸熱管に暖房放熱器に接続される暖房回路を介して湯水を循環自在とすると共に、風呂追焚き用吸熱管に浴槽に接続される風呂追焚き回路を介して浴槽の湯水を循環自在とし、更に、暖房回路に暖房放熱器と並列のバイパス通路を設けて、風呂追焚き運転時に、暖房運転中であるか否かに係らず、風呂追焚き吸熱管と暖房用吸熱管とに夫々湯水を循環させるようにしたものが知られている（例えば、特許文献１参照）。
【０００３】
このものでは、暖房運転を行わない風呂追焚きの単独運転時、暖房用吸熱管にバイパス通路を経由して湯水が循環され、暖房用吸熱管に流れる湯水がバーナの燃焼熱を吸熱して、暖房用吸熱管の異常加熱が防止される。また、互いに接触する暖房用吸熱管と風呂追焚き用吸熱管とで一種の液々熱交換器が構成され、風呂追焚き運転時は、暖房運転中であるか否かに係らず、風呂追焚き用吸熱管に流れる湯水が燃焼熱及び暖房用吸熱管を介しての熱伝達で加熱され、効率良く追焚きが行われる。
【０００４】
ここで、上記特許文献１に記載のものでは、浴槽から風呂追焚き用吸熱管に戻される湯水の温度を検出する風呂戻り湯温センサを設け、風呂追焚き運転時、風呂戻り湯温センサの検出温度が風呂追焚きの設定湯温に達したところでバーナの燃焼を停止するようにしている。尚、特許文献１には、風呂戻り湯温センサの検出温度が設定湯温に達するまでのバーナの燃焼量の制御は記載されていないが、一般的には、追焚き要求熱量に基づいてバーナの燃焼量を制御している。具体的には、風呂戻り湯温センサの検出温度が低いときはバーナの燃焼量を大きくし、検出温度が設定温度に近付いたときに燃焼量を小さくするようにしている。
【０００５】
ところで、風呂追焚き運転時に、暖房運転中であるか否かに係らず、追焚き要求熱量のみに基づいて燃焼量を制御すると、風呂追焚きと暖房との同時運転時に暖房能力が十分に確保できなくなる可能性がある。また、風呂追焚き回路における湯水の循環流量が髪の毛の詰まりや配管抵抗等の何らかの原因で減少した場合、風呂追焚き用吸熱管内で湯温が過度に上昇して、浴槽に送り出される湯温が高くなり過ぎる恐れがある。更に、暖房回路における循環流量が何らかの原因で減少した場合、暖房用吸熱管での沸騰を生ずる恐れもある。
【特許文献１】特開平９−３１８１５１号公報（００３４〜００３７、図１、図２）
【発明の開示】
【発明が解決しようとする課題】
【０００６】
本発明は、以上の点に鑑み、追焚き能力と暖房能力とを共に確保しつつ、風呂追焚き回路や暖房回路における循環流量の減少により浴槽に送り出される湯温が高くなり過ぎたり、暖房用吸熱管での沸騰を生じたりすることを防止できるようにした熱源機を提供することをその課題としている。
【課題を解決するための手段】
【０００７】
上記課題を解決するために、本発明は、暖房兼風呂追焚き用の熱交換器とこの熱交換器を加熱するバーナとを有する燃焼部を備える熱源機であって、熱交換器は、吸熱フィンと、吸熱フィンに互いに接触するように貫通させた暖房用吸熱管及び風呂追焚き用吸熱管とを有し、暖房放熱器に接続される暖房回路を介して暖房用吸熱管に湯水を循環自在とすると共に、浴槽に接続される風呂追焚き回路を介して風呂追焚き用吸熱管に浴槽の湯水を循環自在とし、更に、暖房回路に暖房放熱器と並列のバイパス通路を設けて、風呂追焚き運転時に、暖房運転中であるか否かに係らず、風呂追焚き用吸熱管と暖房用吸熱管とに夫々湯水を循環させるものにおいて、暖房用吸熱管から送り出される湯水の温度を検出する暖房往き湯温センサと、風呂追焚き回路における湯水の循環流量が所定の基準流量以上であるか否かを判別する流量判別手段と、風呂追焚き運転時に、暖房運転中であるか否かに係らず、暖房往き湯温センサの検出温度が所定の目標温度になるようにバーナの燃焼量を制御する燃焼制御手段とを備え、この目標温度は基準目標温度と基準目標温度より低い温度とに可変設定自在であり、流量判別手段により前記循環流量が前記基準流量以上であると判別されることを第１の条件として、第１の条件が不成立である場合は目標温度が基準目標温度より低い温度に設定変更されることを特徴とする。
【０００８】
本発明によれば、風呂追焚き回路の循環流量が基準流量以上である場合は、暖房往き湯温（暖房往き湯温センサの検出温度）が比較的高い温度（基準目標温度）になるようにバーナの燃焼量が制御されるため、燃焼量が大きくなると共に、暖房用吸熱管から風呂追焚き用吸熱管への熱移動も大きくなり、大きな追焚き能力が得られる。更に、風呂追焚き運転時に暖房運転を行っても、暖房往き湯温は基準目標温度に維持されるため、所要の暖房能力を得られ、また、暖房回路の循環流量が何らかの原因で減少しても、暖房往き湯温に基づく燃焼量の制御が行われるため、暖房用吸熱管での沸騰が防止される。また、風呂追焚き回路の循環流量が基準流量を下回った場合は、暖房往き湯温が比較的低い温度になるようにバーナの燃焼量が制御されるため、燃焼量が小さくなると共に、暖房用吸熱管から風呂追焚き用吸熱管への熱移動も小さくなる。従って、風呂追焚き用吸熱管で湯温が過度に上昇されることはなく、浴槽に送り出される湯温が高くなり過ぎることを防止できる。
【０００９】
尚、浴槽から風呂追焚き用吸熱管に戻される湯水の温度を検出する風呂戻り湯温センサを備え、風呂戻り湯温センサの検出温度が風呂追焚きの設定湯温を基準にして定められる所定の基準温度より低いことを第２の条件として、前記第１の条件と第２の条件とが共に成立している場合は目標温度が前記基準目標温度に設定され、第１と第２の両条件の少なくとも一方が不成立である場合は目標温度が基準目標温度より低い温度に設定されるようにしておけば、浴槽から風呂追焚き用吸熱管に戻される湯水の温度（風呂戻り湯温）が基準温度以上に上昇したときにも目標温度が低く設定変更されることになる。従って、風呂戻り湯温が上昇したときの風呂追焚き用吸熱管での過度の加熱により浴槽に送り出される湯温が高くなり過ぎることも防止できる。
【００１０】
また、本発明においては、暖房回路に、バイパス通路を開くと共に暖房回路の暖房放熱器に至る通路部分を閉じる第１の状態と、バイパス通路を絞ると共に暖房回路の暖房放熱器に至る通路部分を開く第２の状態とに切替え自在な通路切替手段を設け、暖房運転を行わない風呂追焚きの単独運転時は通路切替手段を第１の状態とし、風呂追焚きと暖房との同時運転時は通路切替手段を第２の状態とすることが望ましい。これによれば、風呂追焚きと暖房との同時運転時には、バイパス通路に暖房用熱媒体が流れにくくなって、バイパス通路での放熱ロスによる暖房能力の低下を防止できる。
【００１１】
ところで、暖房往き湯温が低い運転初期には、バーナの燃焼量が所定の上限値にまで増加されるが、風呂追焚きと暖房との同時運転時には、暖房用と風呂追焚き用の両吸熱管で効率良く吸熱されて吸熱フィンの温度上昇が遅れ、ドレン（燃焼排気中の水蒸気の結露）が発生しやすくなる。ここで、風呂追焚きや暖房の単独運転時には、騒音を低減するため、燃焼量の上限値は比較的低く設定すべきであるが、風呂追焚きと暖房との同時運転時には、バーナの燃焼量の上限値が単独運転時よりも高く設定されるようにしておけば、吸熱フィンの温度上昇が速くなり、ドレンの発生が抑制される。
【００１２】
尚、後記する実施形態において、上記流量判別手段に相当するのは図２のＳ１２のステップであり、上記燃焼制御手段に相当するのは図２のＳ１４のステップである。
【発明を実施するための最良の形態】
【００１３】
図１は、単一の缶体１内に、給湯用の第１燃焼部２と、暖房兼風呂追焚き用の第２燃焼部３とを並設した１缶３水路式の複合熱源機を示している。第１燃焼部２と第２燃焼部３は仕切り壁４で区画されている。第１燃焼部２には、給湯用の第１熱交換器２１とこれを加熱する第１バーナ２２とが設けられ、第２燃焼部３には、暖房兼風呂追焚き用の第２熱交換器３１とこれを加熱する第２バーナ３２とが設けられている。第１と第２の各燃焼部２，３の下部には、第１と第２の各バーナ２２，３２の配置部に対し分布板５で仕切られた第１と第２の各給気室２３，３３が設けられている。そして、第１と第２の各給気室２３，３３に第１と第２の各燃焼ファン２４，３４を接続し、各燃焼ファン２４，３４からの燃焼用空気が各給気室２３，３３から分布板５に形成した多数の分布孔５ａを介して各燃焼部２，３に供給されるようにしている。各バーナ２２，３２の燃焼排気は、各熱交換器２１，３１に導かれ、各熱交換器２１，３１で熱交換した後、両熱交換器２１，３１の上側の共通の排気フード６に流れ、排気フード６に形成した排気口６ａから外部に排出される。
【００１４】
第１と第２の各バーナ２２，３２は、夫々、缶体１の奥行方向（図１の紙面直交方向）に長手の単位バーナ２２ａ，３２ａを横方向に複数列設して構成されており、これら各単位バーナ２２ａ，３２ａに各バーナ２２，３２用のガスマニホールド２２ｂ，３２ｂに設けた各ノズル２２ｃ，３２ｃを介してガスが供給される。各バーナ２２，３２のガスマニホールド２２ｂ，３２ｂに接続される各バーナ２２，３２用のガス供給路２２１，３２１には、夫々、元弁２２２，３２２と比例弁２２３，３２３とが介設されている。これら元弁２２２，３２２と比例弁２２３，３２３は燃焼ファン２４，３４と共にコントローラ７で制御される。
【００１５】
第１熱交換器２１は、缶体１の奥行方向に多数列設した吸熱フィン２１ａと、これら吸熱フィン２１ａを貫通する上下２段の蛇行形状の給湯用吸熱管２１ｂとで構成されている。給湯用吸熱管２１ｂには、上流側の給水路８ａと下流側の出湯路８ｂとが接続されている。給水路８ａには、流量センサ８１とコントローラ７で制御される流量調節弁８２とが設けられ、更に、流量調節弁８２の下流側において給水路８ａと出湯路８ｂとを結ぶバイパス通路８ｃを設け、バイパス通路８ｃにコントローラ７で制御されるバイパス流量調節弁８３を介設している。また、出湯路８ｂには、上流側の第１出湯温センサ８４と、バイパス通路８ｃの合流部の下流側の第２出湯温センサ８５とが設けられている。
【００１６】
流量センサ８１、第１出湯温センサ８４及び第２出湯温センサ８５の検出信号はコントローラ７に入力される。そして、出湯路８ｂの下流端の出湯栓８６を開いて第１熱交換器２１に通水したとき、流量センサ８１の検出流量が所定の下限流量以上になったところで、第１燃焼ファン２４を駆動すると共に、第１バーナ２２用の元弁２２２を開弁して第１バーナ２２にガスを供給し、図外の点火プラグによる火花放電で第１バーナ２２に点火する。その後、第１出湯温センサ８４の検出温度が所定の高温になるように、比例弁２２３を介して第１バーナ２２の燃焼量を制御すると共に、流量調節弁８２を介して第１熱交換器２１への通水量を制御し、更に、第２出湯温センサ８５の検出温度がリモコンで設定した出湯設定温度になるように、バイパス流量調節弁８３を介してバイパス通路８ｃに流れる水量（バイパスミキシング量）を制御する。
【００１７】
第２熱交換器３１は、缶体１の奥行方向に多数列設した吸熱フィン３１ａと、これら吸熱フィン３１ａを貫通する上下２段の蛇行形状の暖房用吸熱管３１ｂと、上下の暖房用吸熱管３１ｂ間に該吸熱管３１ｂに接触するように挟み込まれた状態で吸熱フィン３１ａを貫通する蛇行形状の風呂追焚き用吸熱管３１ｃとで構成されている。暖房用吸熱管３１ｂは、暖房回路９を介して浴室暖房用等の暖房放熱器１０に接続され、また、風呂追焚き用吸熱管３１ｃは、風呂追焚き回路１１を介して浴槽１２に接続される。尚、本実施形態では、第１熱交換器２１の吸熱フィン２１ａと第２熱交換器３１の吸熱フィン３１ａとを共通のフィンで構成しているが、これら吸熱フィン２１ａ，３１ａを各別のフィンで構成することも勿論可能である。
【００１８】
暖房回路９は、暖房用吸熱管３１ｂで加熱された湯水を暖房放熱器１０に送る暖房往き通路９ａと、暖房放熱器１０を通過した湯水を暖房用吸熱管３１ｂに戻す暖房戻り通路９ｂとで構成されている。暖房戻り通路９ｂには、シスターン９１とコントローラ７で制御される暖房ポンプ９２とが介設され、暖房ポンプ９２の作動で暖房放熱器１０と暖房用吸熱管３１ｂとに暖房回路９を介して湯水が循環される。また、暖房回路９には、暖房往き通路９ａとシスターン９１とを接続する、暖房放熱器９と並列のバイパス通路９ｃが設けられている。本実施形態でバイパス通路９ｃは、互いに並列の第１と第２の一対の通路９ｃ１，９ｃ２で構成されている。そして、暖房往き通路９ａに、第１バイパス通路９ｃ１の分岐部に位置させて、第１バイパス通路９ｃ１を開くと共に暖房回路９の暖房放熱器１０に至る通路部分を閉じる第１の状態と、第１バイパス通路９ｃ１を閉じると共に暖房回路９の暖房放熱器１０に至る通路部分を開く第２の状態とに切替え自在な通路切替手段である、コントローラ７で制御される三方弁９３を設けている。また、暖房往き通路９ａの上流側には、暖房用吸熱管３１ｂから送り出される湯水の温度（暖房往き湯温）を検出する暖房往き湯温センサ９４が設けられている。
【００１９】
ところで、三方弁９３を第２の状態に切替えたとき、第１バイパス通路９ｃ１は閉じられるが、第２バイパス通路９ｃ２は開かれており、バイパス通路９ｃ全体として絞られた状態になる。第２バイパス通路９ｃ２は、暖房放熱器１０での詰まりを生じたときにも暖房ポンプ９２を保護（空回り防止）するのに必要な最低限の循環流量を確保し得るようにするためのものであり、管路抵抗が大きく、第２バイパス通路９ｃ２に流れる通常時の湯水の流量は極少量になる。尚、三方弁９３を第２の状態に切替えたときに、三方弁９３の第１バイパス通路９ｃ１用の弁部でのリークを生ずるようにしておけば、即ち、第１バイパス通路９ｃ１が絞られるようにしておけば、第２バイパス通路９ｃ２を省略することも可能である。また、第１バイパス通路９ｃ１に介設した開閉弁とバイパス通路９ｃの分岐部下流側の暖房往き通路９ａの部分に介設した開閉弁とで通路切替手段を構成することも可能である。
【００２０】
風呂追焚き回路１１は、風呂追焚き用吸熱管３１ｃで加熱された湯水を浴槽１２に送る風呂往き通路１１ａと、浴槽１２から風呂追焚き用吸熱管３１ｃに湯水を戻す風呂戻り通路１１ｂとで構成されている。風呂戻り通路１１ｂにはコントローラ７で制御される風呂ポンプ１１１が介設されており、風呂ポンプ１１１の作動で浴槽１２と風呂追焚き用吸熱管３１ｃとに風呂追焚き回路１１を介して湯水が循環される。また、前記出湯路８ｂから分岐した注湯路１１ｃを逆止弁１１２を介して風呂戻り通路１１ｂに接続し、注湯路１１ｃに介設したコントローラ７で制御される注湯弁１１３を開弁することにより、第１熱交換器２１で加熱された湯水を浴槽１２に注湯できるようにしている。また、風呂戻り通路１１ｂには、風呂追焚き回路１１における湯水の循環流量を検出する風呂流量センサ１１４と、浴槽１２から風呂追焚き用吸熱管３１ｃに戻される湯水の温度（風呂戻り湯温）を検出する風呂戻り湯温センサ１１５とが設けられている。
【００２１】
暖房往き湯温センサ９４、風呂流量センサ１１４及び風呂戻り湯温センサ１１５の検出信号はコントローラ７に入力される。そして、コントローラ７は、リモコンによる風呂追焚きや暖房の運転指示が行われたとき、図２に示す制御を行う。これを詳述するに、先ず、Ｓ１のステップで風呂追焚きの運転指示の有無を判別し、風呂追焚きの運転指示があるときは、Ｓ２のステップで暖房の運転指示の有無を判別する。そして、暖房の運転指示があるとき、即ち、暖房と風呂追焚きの同時運転時には、Ｓ３のステップで三方弁９３を第２の状態に切替えて、バイパス通路９ｃを絞ると共に暖房回路９の暖房放熱器１０に至る通路部分を開き、更に、Ｓ４のステップで第２バーナ３２の燃焼量の上限値Ｇｍａｘを比較的高い値ＧＨ（例えば、１５０００ｋｃａｌ／ｈ）に設定する。また、暖房の運転指示がないとき、即ち、風呂追焚きの単独運転時には、Ｓ５のステップで三方弁９３を第１の状態に切替えて、バイパス通路９ｃを開くと共に暖房回路９の暖房放熱器１０に至る通路部分を閉じ、更に、Ｓ６のステップで第２バーナ３２の燃焼量の上限値Ｇｍａｘを比較的低い値ＧＬ（例えば、１２０００ｋｃａｌ／ｈ）に設定する。
【００２２】
Ｓ４またはＳ６のステップでのＧｍａｘの設定処理が行われると、Ｓ７のステップで暖房と風呂の両ポンプ９２，１１１を駆動し、次に、Ｓ８のステップで風呂流量センサ１１４により検出される風呂追焚き回路１１における湯水の循環流量（風呂循環流量）Ｑが風呂ポンプ１１１の作動確認のために設定される所定の下限流量ＱＬ以上になったか否かを判別し、Ｑ≧ＱＬになったとき、Ｓ９のステップで第２燃焼ファン３４を駆動すると共に、第２バーナ３２用の元弁３２２を開弁して第２バーナ３２に点火する。
【００２３】
次に、Ｓ１０のステップで風呂戻り湯温センサ１１５の検出温度（風呂戻り湯温）ＴＦが風呂追焚きの設定湯温ＴＦＳより低いか否かを判別し、ＴＦ＜ＴＦＳであれば、Ｓ１１のステップで風呂戻り湯温ＴＦが設定湯温より数度（例えば２℃）低く設定される基準温度ＴＦＫより低いか否かを判別し、ＴＦ＜ＴＦＫであれば、Ｓ１２のステップで風呂循環流量Ｑが所定の基準流量ＱＫ以上であるか否かを判別する。尚、基準流量ＱＫについては後で詳述する。Ｑ≧ＱＫであれば、Ｓ１３のステップで目標温度ＴＤＭを基準目標温度ＴＤＫに設定し、Ｓ１４のステップで暖房往き湯温センサ９４の検出温度（暖房往き湯温）ＴＤが目標温度ＴＤＭになるように比例弁３２３を介して第２バーナ３２の燃焼量を制御する。尚、基準目標温度ＴＤＫは、基本的に暖房放熱器１０の要求湯温に合わせた温度（例えば、８０℃）に設定されるが、暖房放熱器１０に湯水が循環されない風呂追焚きの単独運転時には、基準目標温度ＴＤＫを暖房放熱器１０の要求湯温より高い温度（例えば、８５℃）に設定し、風呂追焚き能力を高められるようにすることが望ましい。
【００２４】
かくして、風呂循環流量Ｑが基準流量ＱＫ以上である場合、風呂戻り湯温ＴＦが基準温度ＴＦＫより低い間は、暖房往き湯温ＴＤが基準目標温度ＴＤＫという比較的高い温度になるように第２バーナ３２の燃焼量が制御されるため、燃焼量が大きくなると共に、暖房用吸熱管３１ｂから風呂追焚き用吸熱管３１ｃへの熱移動も大きくなり、大きな追焚き能力が得られる。更に、風呂追焚き運転時に暖房運転を行っても、暖房往き湯温ＴＤは基準目標温度ＴＤＫに維持され、且つ、バイパス通路９ｃが絞られてバイパス通路９ｃでの放熱ロスが抑制されるため、所要の暖房能力を得られる。また、暖房回路９の循環流量が何らかの原因で減少しても、暖房往き湯温ＴＤに基づく燃焼量の制御が行われるため、暖房用吸熱管３１ｂでの沸騰が防止される。
【００２５】
ところで、風呂戻り湯温ＴＦが基準温度ＴＦＫ以上になった場合や、風呂循環流量Ｑが髪の毛の詰まり等で減少した場合、暖房往き湯温ＴＤが基準目標温度ＴＤＫになるように第２バーナ３２の燃焼量を制御していると、風呂追焚き用吸熱管３１ｃ内で湯温が過度に上昇して、浴槽１２に送り出される湯温が高くなり過ぎる恐れがある。ここで、暖房用吸熱管３１ｂは風呂追焚き用吸熱管３１ｃを上下から挟むように設けられているため、風呂追焚き用吸熱管３１ｃよりも熱を吸収し易く、風呂追焚き用吸熱管３１ｃの吸収熱量は第２バーナ３２の燃焼量の１／３程度になる。第２バーナ３２の燃焼量が１５０００ｋｃａｌ／ｈである場合の風呂追焚き用吸熱管３１ｃの吸収熱量を余裕を見て６０００ｋｃａｌ／ｈ（１００ｋｃａｌ／分）とすると、風呂戻り湯温ＴＦが４０℃のときに風呂追焚き用吸熱管３１ｃから送り出される湯温を９０℃以下に抑えるには、風呂循環流量を毎分２リットル以上にする必要がある。そこで、このようにして求められる過熱防止に必要な循環流量を上記基準流量ＱＫに設定している。
【００２６】
そして、Ｓ１１のステップで風呂戻り湯温ＴＦが基準温度ＴＦＫ以上と判別された場合や、Ｓ１２のステップで風呂循環流量Ｑが基準流量ＱＫ未満と判別された場合は、Ｓ１５のステップに進んで風呂循環流量Ｑが上記下限流量ＱＬ以上であるか否かを判別し、Ｑ≧ＱＬであれば、Ｓ１６のステップで目標温度ＴＤＭを基準目標温度ＴＤＫより所定温度ΔＴ（例えば、１５℃）だけ低い温度に設定した後、Ｓ１４のステップに進む。かくして、ＴＦ≧ＴＦＫになった場合やＱ＜ＱＫになった場合は、暖房往き湯温ＴＤがＴＤＫ−ΔＴになるように第２バーナ３２の燃焼量が制御される。その結果、燃焼量が小さくなると共に、暖房用吸熱管３１ｂから風呂追焚き用吸熱管３１ｃへの熱移動も小さくなり、風呂追焚き用吸熱管３１ｃで湯温が過度に上昇されなくなり、浴槽に送り出される湯温が高くなり過ぎることが防止される。
【００２７】
Ｓ１０のステップで風呂戻り湯温ＴＦが設定湯温ＴＦＳ以上と判別された場合や、Ｓ１５のステップで風呂循環流量Ｑが下限流量ＱＬ未満と判別された場合は、Ｓ１７のステップに進んで風呂追焚きの停止処理を行う。この停止処理により、風呂追焚きの単独運転時には風呂ポンプ１１１と暖房ポンプ９２とが停止されると共に第２バーナ３２が消火され、また、風呂追焚きと暖房の同時運転時には風呂ポンプ１１１が停止され、その後、暖房単独運転時の後記するＳ２３のステップに進む。尚、風呂追焚き回路１１における湯水の循環を停止した状態で第２バーナ３２を燃焼させても、暖房用吸熱管３１ｂに流れる湯水により風呂追焚き用吸熱管３１ｃの熱が奪われるため、風呂追焚き用吸熱管３１ｃでの沸騰は生じない。
【００２８】
Ｓ１のステップで風呂追焚きの運転指示がないと判別されたときは、Ｓ１８のステップに進んで暖房の運転指示の有無を判別する。そして、暖房の運転指示があるとき、即ち、暖房の単独運転時は、Ｓ１９のステップで三方弁９３を第２の状態に切替えて、バイパス通路９ｃを絞ると共に暖房回路９の暖房放熱器１０に至る通路部分を開き、更に、Ｓ２０のステップで第２バーナ３２の燃焼量の上限値Ｇｍａｘを比較的低い値ＧＬに設定する。次に、Ｓ２１のステップで暖房ポンプ９２を駆動し（風呂ポンプ１１１は停止）、更に、Ｓ２２のステップで第２燃焼ファン３４を駆動すると共に、第２バーナ３２用の元弁３２２を開弁して第２バーナ３２に点火する。そして、Ｓ２３のステップで暖房往き湯温ＴＤが目標温度ＴＤＭになるように比例弁３２３を介して第２バーナ３２の燃焼量を制御する。尚、この場合、目標温度ＴＤＭは暖房放熱器１０の要求湯温に合わせた温度に設定される。
【００２９】
ところで、暖房往き湯温ＴＤが低い運転初期には、第２バーナ３２の燃焼量が上限値Ｇｍａｘにまで増加されるが、風呂追焚きと暖房との同時運転時には、暖房用と風呂追焚き用の両吸熱管３１ｂ，３１ｃで効率良く吸熱されて吸熱フィン３１ａの温度上昇が遅れ、ドレンが発生しやすくなる。然し、本実施形態では、風呂追焚きと暖房との同時運転時には、第２バーナ３２の燃焼量の上限値Ｇｍａｘが比較的高い値ＧＨに設定されるため、吸熱フィン３１ａの温度上昇が速くなり、ドレンの発生が抑制される。風呂追焚きや暖房の単独運転時は、上限値Ｇｍａｘが比較的低い値ＧＬに設定されるが、これは騒音の低減のためである。
【００３０】
尚、上記実施形態では、Ｓ１６のステップでの目標温度ＴＤＭの設定変更に用いる基準目標温度ＴＤＫに対する低下温度ΔＴを一定にしているが、ΔＴを基準流量ＱＫと風呂循環流量Ｑとの偏差に応じて変化させるようにしても良い。これによれば、基準流量ＱＫを比較的高く設定し、風呂循環流量Ｑが大きく減少する前から目標温度ＴＤＭを徐々に減少できるようになり、浴槽１２に送り出される湯温の上昇をより確実に防止できる。
【００３１】
また、流量センサ１１４を用いずに、風呂追焚き回路１１に上記下限流量ＱＬ以上でオンする第１の水流スイッチと、上記基準流量ＱＫ以上でオンする第２の水流スイッチとを設け、Ｓ８のステップで第１の水流スイッチがオンしたか否かを判別し、第１の水流スイッチがオンしたときにＳ９のステップに進み、また、Ｓ１２のステップで第２の水流スイッチがオンしたか否かを判別し、第２の水流スイッチがオフのときにＳ１５のステップに進み、ここで第１の水流スイッチがオンしたか否かを判別し、第１の水流スイッチがオフのときＳ１６のステップに進むようにしても良い。これによれば、流量センサ１１４を用いる場合に比しコストが安くなる。
【００３２】
尚、Ｓ１５のステップは、バーナ点火後の風呂ポンプ１１１の故障に対するフェールセーフのために設けたステップであり、省略することも可能である。この場合、上記第１の水流スイッチを省略し、Ｓ８のステップで上記第２の水流スイッチがオンしたか否かを判別し、第２の水流スイッチがオンしたときにＳ９のステップに進み、また、Ｓ１２のステップで第２の水流スイッチがオンしたか否かを判別し、第２の水流スイッチがオフのときにＳ１６のステップに進むようにしても良い。これによれば、一層のコストダウンを図ることができる。
【００３３】
以上、給湯用の第１燃焼部２と暖房兼風呂追焚き用の第２燃焼部３とを単一の缶体１に収納した１缶式熱源機に本発明を適用した実施形態について説明したが、第１燃焼部２と第２燃焼部３とを各別の缶体に収納する２缶式熱源機、更には、第１燃焼部２を省略した熱源機にも同様に本発明に本発明を適用できる。
【図面の簡単な説明】
【００３４】
【図１】本発明の実施形態の熱源機の構成を示す説明図。
【図２】暖房・風呂追焚きの制御を示すフロー図。
【符号の説明】
【００３５】
３…燃焼部、３１…暖房兼風呂追焚き用の熱交換器、３１ａ…吸熱フィン、３１ｂ…暖房用吸熱管、３１ｃ…風呂追焚き用吸熱管、３２…バーナ、７…コントローラ、９…暖房回路、９ｃ…バイパス通路、９３…三方弁（通路切替手段）、９４…暖房往き湯温センサ、１１…風呂追焚き回路、１１４…流量センサ、１１５…風呂戻り湯温センサ、１２…浴槽。
【図１】
2006090592.tif 000003
【図２】
2006090592.tif 000004